(57)【要約】【課題】購入先を確認し得る識別コードをディジタルデータファイルに付与し、有料のディジタルデータファイルをディジタルデータプレーヤから個人用コンピュータ端末機にアップローディングさせる場合、付与されたコード値によって制限的にアップローディングを許容して、ディジタルデータファイルの無断複製を防止することを目的とする。【解決手段】アップローディングすべきディジタルデータファイルの識別コードをリードして、有料でダウンロードしたファイルであると判明されると、特定回数に限ってアップロードを許容、または、不許可とし、特定回数のアップロードを行った後は、それ以上のアップロードを不許可とするようにディジタルデータファイルの識別コードを変更するディジタルデータファイルのディジタルデータファイルの複製防止方法を提供する。【選択図】図２
2008135040.tif 000002
【特許請求の範囲】
【請求項１】
アップローディングしようとするディジタルデータファイルの識別コードをリードし、前記識別コードに基づいて、有料でダウンロードしたディジタルデータファイルであるか否か判定し、有料であると判明したとき特定回数に限ってアップロードを許容するか、またはアップロードを不許可とする、ことを特徴とするディジタルデータファイルの複製防止方法。
【請求項２】
前記アップロードを特定回数に限って許容する場合、特定回数のアップロードを行った後はそれ以上のアップロードを不許可とするように、前記ディジタルデータファイルの識別コードを変更することを特徴とする請求項１記載のディジタルデータファイルの複製防止方法。
【請求項３】
前記アップロードを不許可とする場合、その旨を音声または映像信号に出力することを特徴とする請求項１記載のディジタルデータファイルの複製防止方法。
【請求項４】
アップローディングしようとするディジタルデータファイルの識別コードをリードし、前記識別コードに基づいて、有料でダウンロードされたディジタルデータファイルであるか否か判定し、有料であると判明したとき特定回数に限ってアップロードを許容するか、またはアップロードを不許可とするディジタルデータファイルの複製防止プログラムを記録したコンピュータ読取り可能な記録媒体。
【請求項５】
前記アップロードを特定回数に限って許容する場合、特定回数のアップロードを行った後はそれ以上のアップロードを不許可とするように、前記ディジタルデータファイルの識別モードを変更するプログラムを含む請求項４記載のディジタルデータファイルの複製防止プログラムを記録したコンピュータ読取り可能な記録媒体。
【請求項６】
前記アップロードを不許可とする場合、その旨を音声または映像信号に出力するプログラムを含む請求項４記載のディジタルデータファイルの複製防止プログラムを記録したコンピュータ読取り可能な記録媒体。
【発明の詳細な説明】
【技術分野】
【０００１】
本発明は、ディジタルオーディオデータファイルまたはディジタルビデオデータファイルなどのディジタルデータファイルの無断複製を防止するための方法、及びその複製防止プログラムを記録した記録媒体に係るもので、詳しくは、ディジタルデータファイルを販売または無料で配布する際、購入先を識別し得るコードを付与し、ディジタルデータプレーヤから個人用コンピュータなどにディジタルデータファイルをアップローディングする場合、前記コード値によってアップローディングを制限し得るディジタルデータファイルの複製防止方法及びその複製防止プログラムを記録したコンピュータ読取り可能な記録媒体に関するものである。
【背景技術】
【０００２】
従来、ディジタルデータファイルを処理するディジタルデータプレーヤの１例としてＭＰＥＧ１−Ｌａｙｅｒ３（以下、ＭＰ３と称す）プレーヤは、該ＭＰ３に該当するオーディオデータ圧縮技術を活用してコンピュータ通信網上から所望の音楽をダウンロードして再生し得る携帯用ディジタルオーディオ機器として用いられ、特に、ＭＰ３プレーヤは、ＭＰ３ファイル形状に音楽を格納するため故障がほとんど無く、ＣＤ（Ｃｏｍｐａｃｔ  Ｄｉｓｋ）と同等に音質に優れ、小型軽量であるため運動時にも携帯し得るほど活動性に優れており、今後の携帯用カセットテープレコーダ及びＣＤプレーヤの代替商品として注目されている。
【０００３】
このようなＭＰ３プレーヤに使用されるディジタルデータファイルは、インターネットのような通信網を通じてディジタルデータファイル供給業者（サーバー）から個人用コンピュータ端末機にダウンロードし、更に、ＭＰ３プレーヤにダウンロードして使用するようになっているが、一方、このようにダウンロードしたディジタルデータファイルをＭＰ３のような携帯用ディジタルプレーヤから、個人用コンピュータ端末機にアップローディングして使用することは、著作権などの問題を引き起こしていた。
【０００４】
しかし、ＭＰ３プレーヤのような携帯用ディジタルデータプレーヤが一層普及し、ディジタルデータファイルの供給業者と著作権者間で著作権の問題が解決されるなど、諸要件が成熟すると、ディジタルデータファイルの購入経路は自動販売機またはエンコーダなどに発展して一層多様な形態に適用されるものと展望される。このような事態では、ディジタルデータプレーヤから個人用コンピュータ端末機のような機器にアップローディングすることを、少なくとも制限的には許容されるべきであると思考される。
【発明の開示】
【発明が解決しようとする課題】
【０００５】
然るに、従来の技術では、ディジタルデータプレーヤから個人用コンピュータ端末機にディジタルデータファイルをアップローディングしようとする場合、該ファイルの購入先を確認してアップローディングを制限的に許容する技術が開発されてないため、ディジタルデータプレーヤの普及を阻害する要因となっていた。
【０００６】
本発明は、このような従来の課題に鑑みてなされたもので、ＭＰ３ファイルのようなディジタルオーディオデータファイル、またはＪＰＥＧのようなディジタルビデオデータファイルなどのディジタルデータファイルを無断複製することを防止するための方法、及びその複製防止プログラムが記録された記録媒体を提供することを目的とする。
【課題を解決するための手段】
【０００７】
このような目的を達成するため、本発明は、アップローディングしようとするディジタルデータファイルの識別コードをリードして、有料でダウンロードされたファイルであると判明されると、特定回数に限ってアップロードを許容するか、またはアップロードを不許可とするディジタルデータファイルの複製防止方法を提供することを特徴とする。
【０００８】
そして、本発明は、アップローディングしようとするディジタルデータファイルの識別コードをリードして、ネットワークで有料でダウンロードしたファイルであると判明されると、特定回数に限ってアップロードを許容するか、またはアップロードを不許可とするディジタルデータファイルの複製防止方法において、特定回数に限ってアップロードを許容する場合、特定回数のアップロードを行った後は、それ以上のアップロードを不許可とするように前記ディジタルデータファイルの識別コードを変更するディジタルデータファイルのディジタルデータファイルの複製防止方法を提供することを特徴とする。
【０００９】
さらに、本発明は、アップローディングしようとするディジタルデータファイルの識別コードをリードして、有料でダウンロードしたファイルであると判明されると、特定回数に限ってアップロードを許容するか、または、アップロードを不許可とするディジタルデータファイルのディジタルデータファイルの複製防止方法において、アップロードを不許可とする場合、その旨を音声または映像信号に出力することを特徴とするディジタルデータファイルの複製防止方法を提供することを特徴とする。
【００１０】
また、本発明は、アップローディングしようとするディジタルデータファイルの識別コードをリードして、有料でダウンロードされたファイルであると判明されると、特定回数に限ってアップロードを許容するか、またはアップロードを不許可とするディジタルデータファイルの複製防止プログラムを記録した記録媒体を提供することを特徴とする。
【００１１】
更に、本発明は、アップローディングしようとするディジタルデータファイルの識別コードをリードして、有料でダウンロードされたファイルであると判明されると、特定回数に限ってアップロードを許容するか、またはアップロードを不許可とするディジタルデータファイルの複製防止プログラムを記録した記録媒体において、特定回数のアップロードを行った後は、それ以上のアップロードを不許可とするように前記ディジタルデータファイルの識別モードを変更するディジタルデータファイルの複製防止プログラムを記録した記録媒体を提供することを特徴とする。
【００１２】
そして、本発明は、アップローディングしようとするディジタルデータファイルの識別コードをリードして、有料でダウンロードされたファイルであると判明されると、特定回数に限ってアップロードを許容するか、またはアップロードを不許可とするディジタルデータファイルの複製防止プログラムを記録した記録媒体において、アップロードを不許可とする場合、その旨を音声または映像信号に出力するディジタルデータファイルの複製防止プログラムを記録した記録媒体を提供することを特徴とする。
【発明の効果】
【００１３】
以上説明したように、本発明に係るディジタルデータファイルの複製防止方法及びその複製防止プログラムが記録された記録媒体においては、ディジタルデータファイルに購入先を確認することが可能な識別コードを付与するため、有料のディジタルデータファイルの場合にディジタルデータプレーヤからアップローディングしようとすると、前記付与されたコード値によって制限的にアップローディングを許容することが可能になってディジタルデータファイルの無断複製を防止し得るという効果がある。
【発明を実施するための最良の形態】
【００１４】
以下、本発明の実施の形態について図面を用いて説明する。
図１は、本発明に係るディジタルデータファイルの複製防止方法を適用するディジタルデータプレーヤシステムにおけるディジタルデータファイルの流れを示した図である。
【００１５】
即ち、本発明に係るディジタルデータファイルの複製防止方法を適用するシステムにおいては、図１に示したように、個人用コンピュータ端末機１は、インターネットのような通信網に連結され、有料または無料で供給されるディジタルデータファイルをダウンロードし内部のハードディスクに格納して再生出力するか、またはディジタルデータプレーヤ２にダウンロードし、該ディジタルデータプレーヤ２からディジタルデータファイルのアップローディングが要求されると、ディジタルデータのヘッダ（図２参照）に付与された識別コードを確認してアップローディングを制限的に許容する。ディジタルデータプレーヤ２は、該個人用コンピュータ端末機１からダウンロードしたディジタルデータファイルをディジタルデータ格納媒体３に格納した後再生出力するか、または後述するディジタルデータ自動販売機４、または後述するエンコーダ５から出力されるディジタルデータファイルを再生出力するか、若しくは、前記個人用コンピュータ端末機１にアップローディングする。ディジタルデータ格納媒体３は、着脱可能な状態に装着されて、前記ディジタルデータファイルを格納する。ディジタルデータ自動販売機４は、インターネットなどの通信網に連結され、道路周辺若しくは人の通りの多い公共場所に設置されて、有料でディジタルデータファイルを販売する。エンコーダ５は、特定の伝送経路を経由して供給されるディジタルデータファイルをダウンロードして前記ディジタルデータプレーヤ２に供給する。
【００１６】
以下、このように構成されたシステムに適用されるディジタルデータファイルの複製防止方法の各実施例を、図２に基づいて説明する。
図２（Ａ）〜（Ｄ）は、ディジタルデータファイルのヘッダに付与される各識別コードを示した図面である。
先ず、第１の実施形態として、使用者がディジタルデータサーバーから有料のディジタルデータファイルを購入する場合、使用者はディジタルデータファイル供給業者側に個人情報を登録し、識別番号（ＩＤ）及びパスワードの付与を受けて、ソフトウエア形態のディジタルデータファイルを通信網を介してダウンロードし、個人用コンピュータ端末機１上にディジタルデータソフトウエアプレーヤを構築する。
【００１７】
次いで、使用者が前記個人用コンピュータ端末機１及び通信網を介して前記ディジタルデータサーバーからディジタルデータファイルを購入、即ち、ダウンロードしようとすると、該当する料金を支払った後、通信網を通じて自分の識別番号及びパスワードを伝送する。
前記ディジタルデータサーバーは伝送された識別番号及びパスワードに基づいて使用者の身分を確認した後、使用者が要請したディジタルデータファイルを伝送するが、このとき、いかなる場合でも該ディジタルデータファイルのアップローディングが不可能になるように伝送ファイルのヘッダに識別コード“０１”を付加して伝送する。
【００１８】
次いで、使用者は前記ディジタルデータサーバーから伝送されるディジタルデータファイルを前記個人用コンピュータ端末機１のハードディスクに格納し、必要に応じてディジタルデータソフトウエアプレーヤを利用して再生出力する。その結果、使用者は個人用コンピュータ端末機１を介して所望の音楽を自由に鑑賞することができる。
【００１９】
一方、上述した経路を経て購入したディジタルデータファイルを携帯用のディジタルデータプレーヤ２を利用して鑑賞しようとする場合は、前記個人用コンピュータ端末機１が前記ディジタルデータプレーヤ２側にディジタルデータファイルをダウンローディングする。このとき、該ディジタルデータプレーヤ２はダウンロードするディジタルデータファイルを着脱可能なメモリカード形態に制作されたディジタルデータ格納媒体３に格納しておき、必要な場合にリードして内部のデコーダを介して再生出力する。
【００２０】
よって、使用者は前記ディジタルデータプレーヤ２を利用して所望の場所でディジタルデータファイル形態の音楽を鑑賞することができる。
しかし、別の個人用コンピュータ端末機を利用して、上述したような経路を経て購入した有料のディジタルデータファイルを前記個人用コンピュータ端末機１にローディングするか、または、ディジタルデータプレーヤ２を利用してアップローディングしようとする場合、前記個人用コンピュータ端末機１は前記識別コード“０１”に基づいて有料のディジタルデータファイルであることを確認し、ローディングまたはアップローディングを不許可とする。
【００２１】
次に、第２の実施形態として、通信網上で無料で配布されるディジタルデータファイルの場合は、ディジタルデータファイルのヘッダに識別コード“００”が付与され、該ディジタルデータファイルをディジタルデータプレーヤ２から個人用コンピュータ端末機１にアップローディングしようとすると、該個人用コンピュータ端末機１は識別コード“００”に基づいて無料で配布されたディジタルデータファイルであることを確認した後、アップローディングを許容するため、上述したように、使用者は個人用コンピュータ端末機１のディジタルデータソフトウエアプレーヤを利用して、または、ディジタルデータプレーヤ２を利用して自由に鑑賞することができる。
【００２２】
さらに、第３の実施形態として、市内の道路周辺、または、人通りの多い公共場所に設置されたディジタルデータ自動販売機４から、所定金額を支払ってディジタルデータファイルを購入する場合、該ディジタルデータファイルのヘッダには識別コード“１０”が付加され、このように購入したディジタルデータファイルを前記ディジタルデータプレーヤ２を利用して前記個人用コンピュータ端末機１にアップローディングしようとすると、該個人用コンピュータ端末機１は識別コード“１０”に基づいてディジタルデータ自動販売機４から販売されたディジタルデータファイルであることを確認した後、１回に限ってアップローディングを許容する。次いで、アップローディングが行われた後は、前記識別コードを“１０”から“０１”に変更してそれ以上のアップローディングを不許可とする。従って、使用者はディジタルデータ自動販売機４から購入したディジタルデータファイルを１回に限って個人用コンピュータ端末機１側にアップローディングして使用することができる。
【００２３】
また、第４の実施形態として、使用者がディジタルデータファイルの供給者と所定契約を締結して購入したエンコーダ５を利用して識別コード“１１”の付加されたディジタルデータファイルをダウンロードし、前記ディジタルデータプレーヤ２を利用して前記個人用コンピュータ端末機１にアップローディングしようとする場合、該個人用コンピュータ端末機１は識別コード“１１”に基づいてアップロードしようとするディジタルデータファイルがエンコーダ５を介して購入されたファイルであることを確認した後、アップローディングを許容する。
【００２４】
なお、以上のようなディジタルデータファイルの複製防止方法を１つのプログラムとして制作して使用することも可能で、この場合、該複製防止プログラムは個人用コンピュータまたはＭＰ３プレーヤなどの記録媒体の内部に格納され、それら機器がディジタルデータファイルの複製に関連する動作を行うときは、前記複製防止プログラムを実行するため、無断複製を防止することができる。
【図面の簡単な説明】
【００２５】
【図１】本発明に係るディジタルデータファイルの複製防止方法を適用するシステムの例を示したブロック図である。
【図２】本発明に係るディジタルデータファイルのヘッダに付与される各識別コードを示した図面である。
【符号の説明】
【００２６】
１    個人用コンピュータ端末機
２    ディジタルデータプレーヤ
３    ディジタルデータ格納媒体
４    ディジタルデータ自動販売機
５    エンコーダ
【図１】
2008135040.tif 000003
【図２】
2008135040.tif 000004